(57)【要約】      （修正有）【課題】モダン部分同士の間隔を狭くすることで首に掛けることができ、収納性を高くする眼鏡を提供する。【解決手段】眼鏡において、耳に掛けて装着した際にモダン３１部分後端が装着者の側頭部の後端から後頭部までいずれかの範囲に接触するよう巻き付く形状及び長さを有するテンプル３０と、前記テンプル３０を回転可能に保持する蝶番部２０であって、前記テンプル３０が開いて安定した状態において、前記モダン３１部分の先端同士の間隔が前記装着者の首の後部に引っ掛かる、前記耳に掛けて装着した際の幅よりも狭い幅になるように保持するとともに、前記テンプル３０を前記安定した状態からさらに外側に開いた状態にまで回転可能に保持し、弾性部材により当該外側に開いた状態から前記安定した状態に戻るように付勢する蝶番部２０とを設ける。【選択図】図１
0003183633.tif 000002
【実用新案登録請求の範囲】
【請求項１】
耳に掛けて装着した際にモダン部分後端が装着者の側頭部の後端から後頭部までいずれかの範囲に接触するような形状及び長さを有するテンプルと、
前記テンプルを回転可能に保持する蝶番部であって、前記テンプルが開いて安定した状態において、前記モダン部分の先端同士の間隔が前記装着者の首の後部に引っ掛かる、前記耳に掛けて装着した際の幅よりも狭い幅になるように保持するとともに、前記テンプルを前記安定した状態からさらに外側に開いた状態にまで回転可能に保持し、弾性部材により当該外側に開いた状態から前記安定した状態に戻るように付勢する蝶番部と
を有する眼鏡。
【請求項２】
前記蝶番部が前記テンプルを前記安定した状態からさらに外側に開いた状態にまで回転可能に保持し、弾性部材により当該外側に開いた状態から前記安定した状態に戻るように付勢することに代えて、前記テンプルが根元近傍で弾性部材により形成されることで、前記テンプルの先端側が前記安定した状態からさらに外側に開いた状態にまで回転し、当該弾性部材により当該外側に開いた状態から前記安定した状態に戻るように付勢する請求項１に記載の眼鏡。
【考案の詳細な説明】
【技術分野】
【０００１】
本考案は首に掛けることができる機能を有する眼鏡に関する。
【背景技術】
【０００２】
老眼鏡などの付け外すことが頻繁に行われる眼鏡は、外した状態からすぐに掛けることができるように、首から掛ける構造を持ったものがある。このような構造を持った眼鏡は、テンプルの両端を首に掛けるための紐で連結したものが一般的である。しかし、このようにテンプル両端を紐で連結した眼鏡は、収納の際、紐が邪魔になり、また、装着する際に紐を頭を通して掛ける必要があり、面倒である。
これに対して、下記特許文献にはテンプル部分が長くかつ後頭部まで湾曲した眼鏡が示されている。このような眼鏡であれば、テンプルの先端のモダン部分同士の間隔が首の幅よりも十分に狭いので、紐を設けることなくテンプルだけで首に掛けることができ、装着がより簡単で収納時に紐が邪魔になることもない。
【先行技術文献】
【特許文献】
【０００３】
【特許文献１】実開昭５５−１１１２１７号公報
【特許文献２】特表２００４−５２２１８１号公報
【考案の概要】
【考案が解決しようとする課題】
【０００４】
しかしながら、モダン部分同士の間隔が首の幅よりも十分に狭くなるようにテンプルを後頭部の後ろ側まで回りこむような形状及び長さに形成すると、テンプルを折りたたんだ際に、テンプル部分が大きく膨らみ収納性が悪いという問題が生じる。
本考案は、このような問題に鑑みて、モダン部分同士の間隔を狭くすることで首に掛けることができる眼鏡において、収納性を高くすることを課題とする。
【課題を解決するための手段】
【０００５】
上記課題を解決するために、本考案は次のような構成を有する。
請求項１に記載の考案は、耳に掛けて装着した際にモダン部分後端が装着者の側頭部の後端から後頭部までいずれかの範囲に接触するよう巻き付く形状及び長さを有するテンプルと、前記テンプルを回転可能に保持する蝶番部であって、前記テンプルが開いて安定した状態において、前記モダン部分の先端同士の間隔が前記装着者の首の後部に引っ掛かる、前記耳に掛けて装着した際の幅よりも狭い幅になるように保持するとともに、前記テンプルを前記安定した状態からさらに外側に開いた状態にまで回転可能に保持し、弾性部材により当該外側に開いた状態から前記安定した状態に戻るように付勢する蝶番部とを有する眼鏡である。なお、側頭部の後端は側頭骨と後頭骨の境目近傍が該当する。また、眼鏡にはサングラスが含まれる。
請求項２に記載の考案は、前記眼鏡において、前記蝶番部が前記テンプルを前記安定した状態からさらに外側に開いた状態にまで回転可能に保持し、弾性部材により当該外側に開いた状態から前記安定した状態に戻るように付勢することに代えて、前記テンプルが根元近傍で弾性部材により形成されることで、前記テンプルの先端側が前記安定した状態からさらに外側に開いた状態にまで回転し、当該弾性部材により当該外側に開いた状態から前記安定した状態に戻るように付勢するものである。
【考案の効果】
【０００６】
請求項１に記載の考案は、眼鏡を耳に掛けていない状態でモダン部分の先端同士間の幅が装着者の首の後ろに掛かる幅であるのでこの状態で首に掛けることができる。一方、眼鏡を耳に掛けるとテンプルが広がってモダン部分の先端同士の幅も広がる。つまり、眼鏡を耳に掛けた状態では、モダン部分の先端同士の幅は首に掛かる幅よりも広くて足り、後頭部の後ろまで大きく周り込むような形状でなくてもよいので、モダン部分同士の間を首に掛けることができる眼鏡にも関わらず、テンプルを折りたたんだときにテンプルが大きく膨らまずコンパクトに収納することができる。
請求項２に記載の考案は、蝶番部でテンプルが広がるようにする代わりに、テンプルの根元近傍を弾性部材とすることでテンプルが広がるように形成したものであり、やはり、請求項１に記載の眼鏡と同じ効果を奏する。
【図面の簡単な説明】
【０００７】
【図１】実施形態に係る眼鏡の平面図である。
【図２】実施形態に係る眼鏡の蝶番部近傍を示す拡大一部破断図である。
【図３】変形例に係る眼鏡の蝶番部近傍を示す拡大一部破断図である。
【考案を実施するための形態】
【０００８】
以下、本考案の実施の形態について、図面を参照しながら説明する。
図１に本実施形態に係る眼鏡Ｘの平面図を示す。眼鏡Ｘは基本的な構成は一般的な眼鏡と同様であり、レンズ１１をリム１２で保持し、ヨロイ１３部分に蝶番部２０を介してテンプル３０が回転自在に保持されている。なお、ここに示す眼鏡Ｘはパソコン用のブルーライトをカットする眼鏡であるが、眼鏡の種類は特に限定されるものではない。
図２（ａ）に蝶番部２０近傍の拡大一部破断図を示す。蝶番部２０は回転部材２２、狭持板２３、摺動穴２４、引張りバネ２５を有する。回転部材２２は、中心部に穴の空いた円柱からなる円柱体２２ａの側面に角棒２２ｂを一体に固定した形状を有する部材である。狭持部２３はヨロイ１１に形成された前記円柱体２２ａを狭持する上下の板体からなり、各板体のそれぞれには円柱体２２ａを狭持したときに円柱体２２ａの穴に中心が重なる穴が設けられる。そして、下方側の穴には雌ネジが形成され、狭持部２３が円柱体２２ａを狭持した状態で上方の穴からネジを円柱体２２ａの穴に通して下方側の板の雌ネジにネジ止めすることで円柱体２２ａは狭持部２３に回転自在に保持され、蝶番を形成する。摺動穴２４はテンプル３０の基端に設けられる回転部材２２ａの角棒２２ｂが入る角棒２２ｂが摺動できる大きさの穴である。角棒２２ｂは先端に引張りバネ２５の一端が固定されるとともに、引張りバネ２５の他端は摺動穴２４の内部でピンによって固定される。蝶番部２０は、引張りバネ２５が縮んだ状態では、図２（ａ）に示すように普通の蝶番と同じ機能を果たし、テンプル３０が開いた状態で安定する。そして、引張りバネ２５を有することで、図２（ｂ）に示すようにテンプル３０が開いて安定した状態からさらに外側に開くことができる。この状態で引張りバネ２５は伸びるので、テンプル３０は外側に開いた状態から図２（ａ）の安定した状態に戻る方向に付勢されることとなる。
【０００９】
テンプル３０は、図１、図２（ａ）で示すように開いて安定した状態において、モダン部分３１の先端同士の間隔Ｄが装着者の首Nよりも十分に狭くなるように設定され、この結果、テンプル３０は通常の状態では装着者の頭部Ｈの幅よりもかなり狭くなる。従って、眼鏡Ｘを耳に掛ける際には、テンプル３０が図１の想像線３０Aで示すように広がった状態となる。この状態において、テンプル先端のモダン部分３１は側頭部から後頭部に至る最初のカーブを巻くように設定される。これに合わせて、テンプル３０は耳の後ろ側から曲がり始めて側頭部に沿うように形成される。なお、モダン部分３１は側面視においては下方に緩やか曲がるように形成されている。
【００１０】
次に、以上のような構成を有する眼鏡Ｘの使用方法及び作用効果について説明する。まず、眼鏡Ｘを掛ける場合には、テンプル３０を開いて図１、図２（ａ）のような状態する。この状態でモダン部分３１同士の幅は顔の幅よりもかなり狭いので、テンプル３０をさらに手で開いて顔の幅に合わせ、この状態で耳に掛けて装着する。この状態でテンプルは図１の想像線３０Ａの状態となり、引張りバネ２５によりテンプル３０には内側に向かう力が生じている。この状態から眼鏡Ｘを外して首に掛けるには、まずテンプル３０を持って、両耳の幅を通るにようにテンプル３０をさらに開き、このまま下方に下ろして首の位置で手を離す。するとテンプル３０は引張りバネ２５によって図１、図２（ａ）の状態に戻る。この状態でモダン３１部分同士の幅は首に掛かる幅であるのでモダン部分３１によって眼鏡Ｘを首に掛けることができる。
眼鏡Ｘを首に掛けた状態から再び眼鏡Ｘを耳に掛ける場合は、逆の動作を行えばよく、テンプル３０を広げて、テンプル３０が両耳を下方から上方へ越えるように眼鏡Ｘを移動させれば再び耳に掛けることができる。このように眼鏡Ｘは、耳に掛けた状態と首に掛けた状態とを互いに移行する際に、一旦外す必要がなく、一つのアクションで早く移行することが可能である。
そして、テンプル３０の角度を通常より内側に傾けることで、モダン部分同士の幅を狭くしているので、テンプル３０からモダン３１の長さを長くし、後頭部まで回りこむようにすることでモダン部分同士の幅を狭くする場合に比較して、テンプル３０を短く、かつ、カーブも緩やかにできるので、テンプル３０は想像線３０Bに示すように折りたたんだときに、あまり邪魔にならずコンパクトに収納することができる。
【００１１】
なお、上記実施形態では蝶番部２０において、回転部材２２を引張りバネ２５で引張ることでテンプル３０を開いた状態から戻るように付勢しているが、弾性体による付勢の仕方はこれに限定されるものではなく、ねじりバネや板バネなどで付勢する等種々の変形が可能である。また、蝶番部２０において弾性体でテンプル３０を開いた状態から戻るように付勢するのではなく、例えば図３に示すようにテンプル３０の根元近傍を弾性体３２により形成し、この弾性体３２によりテンプル３０の根元部分でテンプル３０を開いた状態から戻るように付勢してもよい。
【符号の説明】
【００１２】
Ｘ  眼鏡
１１  レンズ
１２  リム
１３  ヨロイ
２０  蝶番部
２２  回転部材
２３  狭持板
２４  摺動穴
２５  引張りバネ
３０  テンプル
３１  モダン
３２  弾性体
【図１】
0003183633.tif 000003
【図２】
0003183633.tif 000004
【図３】
0003183633.tif 000005